(57)【要約】【課題】２つの電池を横方向に並べる際にそれらを同じ向きに配設することが可能で、しかも両電池の相対位置関係の調整が可能に電池を配設できる組電池を提供する。【解決手段】第１電池１１及び第２電池１１は、それぞれ、単電池電池ケースの上面が一方の正の電極端子とされるとともに当該単電池電池ケースの側壁が他方負の電極端子とされる。電池１１は、単電池電池ケースの上面に正極ボルト２７を有するとともに、単電池電池ケースの側壁に負極ボルト３３を有する。接続板１３は、正極ボルト２７に締結される第１端子部３５と、負極ボルト３３に締結される第２端子部３６とを備える。第１端子部３５は長孔に形成された第１ねじ挿通孔３５ａを有し、第２端子部３６は長孔に形成された第２ねじ挿通孔３６ａを有する。【選択図】図１
2008262751.tif 000002
【特許請求の範囲】
【請求項１】
第１電池と、第２電池と、これら電池を互いに電気的に接続する接続部材と、を備えた組電池であって、
前記第１電池及び前記第２電池は、それぞれ、上面が一方の電極端子とされるとともに側面が他方の電極端子とされ、
前記第１電池は、前記上面に第１ねじ部を有し、
前記第２電池は、前記側面に第２ねじ部を有し、
前記接続部材は、両ねじ部の相対位置関係を調整可能に前記第１ねじ部及び前記第２ねじ部に締結される組電池。
【請求項２】
前記接続部材は、前記第１ねじ部に締結される第１端子部と、前記第２ねじ部に締結される第２端子部とを備え、前記第１端子部と前記第１ねじ部との相対位置関係、及び前記第２端子部と前記第２ねじ部との相対位置関係の少なくとも一方の相対位置関係を調整しつつ締結可能に構成されている請求項１に記載の組電池。
【請求項３】
前記第１端子部には、前記接続部材と前記第１ねじ部とを締結するために用いられる第１ねじ挿通孔が設けられ、
前記第２端子部には、前記接続部材と前記第２ねじ部とを締結するために用いられる第２ねじ挿通孔が設けられ、
前記第１ねじ挿通孔及び前記第２ねじ挿通孔の少なくとも一方は長孔に形成されている請求項２に記載の組電池。
【請求項４】
前記第２ねじ挿通孔は、上下方向に長い長孔に形成されている請求項３に記載の組電池。
【請求項５】
前記第２ねじ挿通孔は、上下方向に直交する方向に長い長孔に形成されている請求項３に記載の組電池。
【請求項６】
前記第１ねじ挿通孔は、前記第１電池と前記第２電池とを結ぶ方向に長い長孔に形成されている請求項３に記載の組電池。
【請求項７】
前記接続部材は、前記第１ねじ部に締結される第１端子部と、前記第２ねじ部に締結される第２端子部と、これら端子部間に設けられ且つ前記第１端子部と前記第２端子部との相対位置関係を可変可能に構成された中間部と、を備えている請求項１に記載の組電池。
【請求項８】
前記接続部材は、めがね端子付きリードによって構成されている請求項７に記載の組電池。
【請求項９】
前記第２ねじ部は、ケース側壁よりも厚みのある台座部を介して前記側面に固着されている請求項１に記載の組電池。
【請求項１０】
筐体内に請求項１から９の何れか１項に記載の組電池が複数設けられ、全ての電池が電気的に接続されている電池パック。
【請求項１１】
第１電池と、第２電池と、これら電池を互いに電気的に接続する接続部材と、を備えた組電池であって、
前記第１電池及び前記第２電池は、それぞれ、上面が一方の電極端子とされるとともに側面が他方の電極端子とされ、
前記第１電池は、前記上面及び前記側面の一方にねじ部を有し、
前記第２電池は、前記上面及び前記側面の他方に台座部を有し、
前記接続部材は、前記第１電池及び前記第２電池の相対位置関係を調整可能に前記ねじ部に締結される一方、前記台座部に固着される組電池。
【請求項１２】
前記接続部材は、前記第１ねじ部との相対位置関係を調整可能に前記第１ねじ部に締結される第１端子部と、前記台座部に固着される第２端子部と、を備えている請求項１１に記載の組電池。
【請求項１３】
前記第１端子部には、前記接続部材と前記第１ねじ部とを締結するために用いられる第１ねじ挿通孔が設けられ、この第１ねじ挿通孔は長孔に形成されている請求項１２に記載の組電池。
【請求項１４】
前記第１ねじ挿通孔は、前記第１電池と前記第２電池とを結ぶ方向に長い長孔に形成されている請求項１３に記載の組電池。
【請求項１５】
前記接続部材は、前記第１ねじ部に締結される第１端子部と、前記台座部に固着される第２端子部と、これら端子部間に設けられ且つ前記第１端子部と前記第２端子部との相対位置関係を可変可能に構成された中間部と、を備えている請求項１１に記載の組電池。
【請求項１６】
請求項９に記載の組電池に用いることが可能な単電池であって、
上面が一方の電極端子とされ、側面が他方の電極端子とされるとともに台座部を備え、
前記上面に、上方に突出する第１ねじ部を有するとともに、前記台座部に、外側に突出する第２ねじ部を有する単電池。
【請求項１７】
請求項１１に記載の組電池に用いることが可能な単電池であって、
上面が一方の電極端子とされ、側面が他方の電極端子とされるとともに台座部を備え、
前記上面に、上方に突出する第１ねじ部を有する単電池。
【請求項１８】
請求項１６又は１７に記載の単電池の製造方法であって、
前記単電池の側面に台座部をダイレクト溶接し、その後で、前記単電池のケース本体内に電極群を挿入し、電解液を注液後、封口する単電池の製造方法。
【発明の詳細な説明】
【技術分野】
【０００１】
本発明は、組電池、単電池及び電池パックに関するものである。
【背景技術】
【０００２】
従来、下記特許文献１〜４に開示されているように、少なくとも２つの電池を電気的に接続した構成の組電池が知られている。特許文献１の組電池では、Ｌ字状の接続板が用いられており、この接続板の下端部を第１の電池の側面に溶接する一方、接続板の上端部から外方に延出された先端部を第２の電池の上面に溶接することにより、両電池の異極同士が電気的に接続された構成となっている。特許文献２の組電池では、接続板の下側部が電池の側面に沿う円弧状に形成されるととともに第１の電池の側面に溶接され、接続板の上端部が外方に延出されて第２の電池の上面に溶接されている。特許文献３の組電池では、第１の電池の上面の正極に第１接続板が溶接され、第２の電池の底面の負極に第２接続板が溶接されている。そして、第１の電池と第２の電池とが互いに逆向きになるように隣接させて第１接続板と第２接続板とを締結するようにしている。特許文献４の組電池では、電池の上面及び底面にそれぞれねじ部が設けられている。そして、２つの電池を上下方向に配列するとともに、ねじ部同士を螺合させることでこの２つの電池を接続する構成となっている。
【特許文献１】特許第３２８２５０６号明細書
【特許文献２】特開２００２−１５７１６号公報
【特許文献３】特開２００６−２９４５２４号公報
【特許文献４】特開平１１−３３９７６１号公報
【発明の開示】
【発明が解決しようとする課題】
【０００３】
特許文献１、２の組電池では、接続板を両電池にそれぞれ溶接する構成なので、予め定められた間隔で電池を配設する必要がある。すなわち、横方向や上下方向に２つの電池の相対位置関係が変わるものに対して、この接続板を適用することはできない。
【０００４】
一方、特許文献３の組電池では、２つの電池を横方向（水平方向）に並べるには、互いに逆向きに電池を配設しなければならず、例えば上面にそれぞれ正極端子がくるように２つの電池を配設することはできない。また、特許文献４の組電池では、２つの電池を横方向に並べて配設することはできない。
【０００５】
そこで、本発明は、かかる点に鑑みてなされたものであり、その目的とするところは、２つの電池を横方向に並べる際にそれらを同じ向きに配設することが可能で、しかも両電池の相対位置関係の調整が可能に電池を配設できる組電池を提供することにある。
【課題を解決するための手段】
【０００６】
前記の目的を達成するため、本発明は、第１電池と、第２電池と、これら電池を互いに電気的に接続する接続部材と、を備えた組電池であって、前記第１電池及び前記第２電池は、それぞれ、上面が一方の電極端子とされるとともに側面が他方の電極端子とされ、前記第１電池は、前記上面に第１ねじ部を有し、前記第２電池は、前記側面に第２ねじ部を有し、前記接続部材は、両ねじ部の相対位置関係を調整可能に前記第１ねじ部及び前記第２ねじ部に締結される組電池である。
【０００７】
本発明では、第１電池と第２電池との相対位置関係を調整した上で、接続部材によって両ねじ部同士を互いに電気的に接続することができる。しかも、第１電池と第２電池を横方向に並べる際にこれら電池を同じ向きに配設した上で、接続部材を、第１電池の単電池上面に設けられた第１ねじ部に締結するとともに第２電池の単電池の側面に設けられた第２ねじ部に締結することができる。さらに、接続部材と両電池とがねじ締結によって接続される構成なので、接続部材が単電池の側壁に溶接される構成と異なり、接続部材として、板厚の厚い部材、径の大きなリード線等のように抵抗の小さな部材を用いることが可能となる。これにより、接続部材での発熱を抑制することができる。
【０００８】
ここで、前記接続部材は、前記第１ねじ部に締結される第１端子部と、前記第２ねじ部に締結される第２端子部とを備え、前記第１端子部と前記第１ねじ部との相対位置関係、及び前記第２端子部と前記第２ねじ部との相対位置関係の少なくとも一方の相対位置関係を調整しつつ締結可能に構成されていてもよい。
【０００９】
この態様では、例えば第１端子部と第１ねじ部との相対位置関係を調整することにより、第１電池と第２電池の相対位置関係が調整されることになる。このため、第１端子部と第２端子部との相対位置関係が変わらなくても、第１ねじ部と第２ねじ部との相対位置関係を調整することができる。したがって、この態様では接続部材としてブスバー等のような高剛性の部材を用いることができる。
【００１０】
この態様において、前記第１端子部には、前記接続部材と前記第１ねじ部とを締結するために用いられる第１ねじ挿通孔が設けられ、前記第２端子部には、前記接続部材と前記第２ねじ部とを締結するために用いられる第２ねじ挿通孔が設けられ、前記第１ねじ挿通孔及び前記第２ねじ挿通孔の少なくとも一方は長孔に形成されているのが好ましい。
【００１１】
この態様では、長孔として形成された例えば第１ねじ挿通孔に第１ねじ部を締結する際に、長孔の長手方向に締結位置が調整可能となる。したがって、第１電池と第２電池との相対位置関係が長孔の長手方向に調整可能となる。
【００１２】
そして、前記第２ねじ挿通孔は、上下方向に長い長孔に形成されていてもよい。この態様では、第１電池と第２電池との相対位置関係を上下方向に調整可能となる。
【００１３】
また、前記第２ねじ挿通孔は、上下方向に直交する方向に長い長孔に形成されていてもよい。この態様では、第１電池と第２電池との相対位置関係を横方向に調整可能となる。
【００１４】
また、前記第１ねじ挿通孔は、前記第１電池と前記第２電池とを結ぶ方向に長い長孔に形成されていてもよい。この態様では、第１電池と第２電池との間隔を調整可能となる。
【００１５】
前記接続部材は、前記第１ねじ部に締結される第１端子部と、前記第２ねじ部に締結される第２端子部と、これら端子部間に設けられ且つ前記第１端子部と前記第２端子部との相対位置関係を可変可能に構成された中間部と、を備えていてもよい。この態様では、中間部により第１端子部に対する第２端子部の相対位置が変わるため、第１端子部に締結される第１ねじ部と、第２端子部に締結される第２ねじ部との相対位置関係が変わることになる。これにより、第１電池と第２電池との相対位置関係を調整することができる。
【００１６】
この態様において、前記接続部材は、めがね端子付きリードによって構成されていてもよい。
【００１７】
前記第２ねじ部は、ケース側壁よりも厚みのある台座部を介して前記側面に固着されていてもよい。この態様では、ケース側壁の厚みよりも薄い台座部が固着されている構成に比べ、台座部に電流が流れる際の台座部での発熱を抑えることができる。したがって、大電流を放出する組電池に好適なものとなる。
【００１８】
また、本発明は、筐体内に前記組電池が複数設けられ、全ての電池が電気的に接続されている電池パックである。本発明では、筐体内の電池の配置の自由度を向上することができる。したがって、各電池の発熱、筐体の大きさ及び形等を考慮した最適な電池配置の実現に寄与することができる。
【００１９】
本発明は、第１電池と、第２電池と、これら電池を互いに電気的に接続する接続部材と、を備えた組電池であって、前記第１電池及び前記第２電池は、それぞれ、上面が一方の電極端子とされるとともに側面が他方の電極端子とされ、前記第１電池は、前記上面及び前記側面の一方にねじ部を有し、前記第２電池は、前記上面及び前記側面の他方に台座部を有し、前記接続部材は、前記第１電池及び前記第２電池の相対位置関係を調整可能に前記ねじ部に締結される一方、前記台座部に固着される組電池である。
【００２０】
本発明では、台座部を有する第２電池に対してねじ部を有する第１電池の相対位置関係を調整し、その上で、接続部材によって両電池を互いに電気的に接続することができる。しかも、第１電池と第２電池を横方向に並べる際にこれら電池を同じ向きに配設した上で、接続部材によって第１電池と第２電池とを電気的に接続することができる。
【００２１】
この組電池において、前記接続部材は、前記第１ねじ部との相対位置関係を調整可能に前記第１ねじ部に締結される第１端子部と、前記台座部に固着される第２端子部と、を備えていてもよい。
【００２２】
具体的には、前記第１端子部には、前記接続部材と前記第１ねじ部とを締結するために用いられる第１ねじ挿通孔が設けられ、この第１ねじ挿通孔は長孔に形成されている構成とすることができる。
【００２３】
そして、この第１ねじ挿通孔は、前記第１電池と前記第２電池とを結ぶ方向に長い長孔に形成されていてもよい。
【００２４】
また、前記組電池において、前記接続部材は、前記第１ねじ部に締結される第１端子部と、前記台座部に固着される第２端子部と、これら端子部間に設けられ且つ前記第１端子部と前記第２端子部との相対位置関係を可変可能に構成された中間部と、を備えていてもよい。
【００２５】
また、本発明は、前記組電池に用いることが可能な単電池であって、上面が一方の電極端子とされ、側面が他方の電極端子とされるとともに台座部を備え、前記上面に、上方に突出する第１ねじ部を有するとともに、前記台座部に、外側に突出する第２ねじ部を有する単電池である。
【００２６】
また、本発明は、前記組電池に用いることが可能な単電池であって、上面が一方の電極端子とされ、側面が他方の電極端子とされるとともに台座部を備え、前記上面に、上方に突出する第１ねじ部を有する単電池である。
【００２７】
また、本発明は、前記単電池の製造方法であって、前記単電池の側面に台座部をダイレクト溶接し、その後で、前記単電池のケース本体内に電極群を挿入し、電解液を注液後、封口する単電池の製造方法である。本発明では、単電池の側壁に穴ができてしまう等の溶接不良を回避しつつ、台座部を単電池の側面に固着することができる。
【発明の効果】
【００２８】
以上説明したように、本発明によれば、２つの電池を横方向に並べる際にそれらを同じ向きに配設することが可能で、しかも両電池の相対位置関係の調整が可能に電池を配設することができる。
【発明を実施するための最良の形態】
【００２９】
以下、本発明を実施するための最良の形態について図面を参照しながら詳細に説明する。
【００３０】
図１は、本発明に係る組電池の一実施形態を示している。本実施形態による組電池１０は、第１電池１１と第２電池１１と接続部材の一例としての接続板１３とを備えている。本実施形態では、第１電池１１と第２電池１１とは互いに同じ構成となっている。
【００３１】
第１電池１１及び第２電池１１は、何れも３０Ａ以上（例えば１００Ａ程度）の大電流を放電可能なものであり、それぞれ単電池１５と、この単電池１５を囲繞する絶縁性のカバー１６とを備えている。
【００３２】
単電池１５は、図２に示すように、上端部が開口している有底円筒状のケース本体１８と、このケース本体１８の開口端に設けられた封口板２０とを備えている。ケース本体１８は電池の負極を構成し、封口板２０は電池の正極を構成するものである。すなわち、単電池１５は、封口板２０の表面が上面となるように配置されるため、単電池１５は、上面が正極を構成する一方、下面（図示せず）および側壁（周壁）が負極を構成している。そして、ケース本体１８の開口端が封口板２０で閉塞されているとともに、その内部に比較的に多くの電解液が封入されている。
【００３３】
より詳しくは、ケース本体１８は、円形板状の底壁（図示せず）およびこの底壁の周縁部から上方に立ち上がる円筒状のケース側壁１８ａを有しており、封口板２０は、ケース側壁１８ａの内径よりも一回り小さな直径を有する円形板状をなしている。そして、封口板２０は、樹脂からなる絶縁性のガスケット（図示省略）を介して側壁１８ａの上端部の内側に嵌め込まれた状態でかしめられてケース側壁１８ａに固定されている。なお、ケース側壁１８ａの厚みは、例えば０．３〜０．４ｍｍである。
【００３４】
単電池１５内には、図略の電極群が収納されており、この電極群の正極板が封口板２０に電気的に接続される一方、電極群の負極板がケース本体１８に電気的に接続されている。
【００３５】
封口板２０の表面の中央には、当該封口板２０の略半分程度の直径を有する円形板状の取付板２２が取り付けられており、この取付板２２に、平面視で円形状の凸部２４ａを有する電極板２４が取り付けられている。
【００３６】
単電池１５の上面には、絶縁性の樹脂からなる円形板状の絶縁板２５が被せられている。この絶縁板２５には、中央に第１貫通孔２５ａが設けられていて、この第１貫通孔２５ａを通じて前記電極板２４の凸部２４ａが絶縁板２５よりも上方に突出している。また絶縁板２５には、周縁部の近傍に第２貫通孔２５ｂが設けられている。この第２貫通孔２５ｂには、導電性の金属からなる正極ボルト２７が上方に突出している。換言すれば、単電池１５の上面に、第１ねじ部としての正極ボルト２７が立設されている。
【００３７】
正極ボルト２７は、雄ねじ部２７ａとこの雄ねじ部２７ａの端部に一体的に設けられた円形板状の鍔部２７ｂとからなる。そして、鍔部２７ｂが封口板２０及び取付板２２に溶接されていて、正極ボルト２７は上を向いた状態で配設されている。なお、正極ボルト２７は１つだけ設ける構成に限られるものではなく、２つ以上設けられていてもよい。
【００３８】
正極ボルト２７を封口板２０及び取付板２２に立設するには、雄ねじ部２７ａと鍔部２７ｂを一体に有する正極ボルト２７を封口板２０及び取付板２２にスタッド溶接すればよい。あるいは、まず鍔部２７ｂを封口板２０等に抵抗溶接し、その後に鍔部２７ｂに雄ねじ部２７ａをスタッド溶接してもよい。
【００３９】
単電池１５のケース本体１８には、導電性の金属からなる台座部３１が設けられている。この台座部３１は、ケース本体１８のケース側壁１８ａに配設されており、側面視で矩形状をなすとともに当該側壁１８ａから外側に突出している。そして、前記カバー１６には、台座部３１を挿通させる開口が設けられていて、台座部３１はカバー１６の外側に露出している。台座部３１の厚みは、ケース側壁１８ａの厚みよりも厚く形成されている。
【００４０】
台座部３１の外側面３１ａは、ケース本体１８の半径方向に直交する平坦面となっている。この外側面３１ａに導電性の金属からなる負極ボルト３３が立設されている。本実施形態では、負極ボルト３３は２つ設けられており、これらは側方（ケース本体１８の周方向）に離間するとともに上下方向に僅かに位置ずれした状態で互いに平行に配置されている。負極ボルト３３は、第２ねじ部を構成するものであり、雄ねじ部３３ａとこの雄ねじ部３３ａの端部に一体的に設けられた円形板状の鍔部３３ｂとからなり、側方を向いた状態で配設されている。なお、２つの負極ボルト３３が上下方向に位置ずれしないように配設してもよく、負極ボルト３３を１つだけ或いは３つ以上設ける構成としてもよい。
【００４１】
台座部３１を介して負極ボルト３３をケース本体１８に固着させるには、負極ボルト３３を台座部３１にスタッド溶接し、その後、台座部３１をケース本体１８に抵抗溶接すればよい。あるいは、ケース本体１８に台座部３１を抵抗溶接した後、負極ボルト３３をスタッド溶接することも可能である。このような抵抗溶接は、電極群をケース本体１８内に挿入する前に行えば、ダイレクトスポット溶接で行うことができる。つまり、電極群が挿入されていなければ、ケース本体１８の側壁１８ａの内側と外側から溶接電極で挟み込んで溶接するダイレクトスポット溶接が可能となる。したがって、ケース本体１８に台座部３１及び負極ボルト３３を溶接し、その後電極群をケース本体１８内に挿入し、そして電解液を注液し、樹脂からなる絶縁性のガスケット（図示省略）を介し、封口板２０にてかしめ封口することにより、単電池１５を製造することができる。ダイレクトスポット溶接によれば、台座部３１がケース側壁１８ａよりも厚い場合でも、穴あき等の溶接不良を回避することができる。なお、電極群をケース本体１８内に挿入した後で、レーザー溶接、攪拌摩擦接合等により台座部３１の溶接を行うことも可能である。
【００４２】
前記接続板１３は、第１電池１１の正極ボルト２７に締結される第１端子部３５と、第２電池１１の負極ボルト３３に締結される第２端子部３６とを一体的に備え、鉤形に構成されている。接続板１３は、第１端子部３５が水平配置になるとともに、第２端子部３６が第１端子部３５から下方に延びる垂直配置になる姿勢で使用される。第１端子部３５は平板状に形成されており、この第１端子部３５には、第１ねじ挿通孔３５ａが１つ設けられている。つまり第１ねじ挿通孔３５ａは、正極ボルト２７の数に対応する数だけ設けられている。この第１ねじ挿通孔３５ａに挿通された正極ボルト２７にナット３８を螺合することによって、第１端子部３５は正極ボルト２７に締結される。
【００４３】
第１ねじ挿通孔３５ａは、第２端子部３６に垂直な方向に長い長孔に形成されている。すなわち、第２端子部３６は第２電池１１の負極ボルト３３に締結される端子部なので、接続板１３が両電池１１，１１に接続された状態で、第１ねじ挿通孔３５ａは第１電池１１と第２電池１１とを結ぶ方向に長い形状となる。第１ねじ挿通孔３５ａがこの方向に延びる長孔に形成されることにより、第１電池１１と第２電池１１との間隔を調整可能となっている。
【００４４】
一方、第２端子部３６は、台座部３１の外側面３１ａに面接合するように平板状に形成されており、この第２端子部３６には、第２ねじ挿通孔３６ａが２つ設けられている。つまり、第２ねじ挿通孔３６ａは負極ボルト３３の数に対応する数だけ設けられている。この第２ねじ挿通孔３６ａに挿通された負極ボルト３３にナット４０を螺合することによって、第２端子部３６は負極ボルト３３に締結される。
【００４５】
第２ねじ挿通孔３６ａは、何れも上下方向に長い長孔に形成されている。すなわち、負極ボルト３３に対する第２端子部３６の取り付け高さを調整可能となっている。これにより、第１電池１１と第２電池１１とが上下方向に位置ずれして配置される場合にも対処可能となっている。
【００４６】
次に、図３に、前記組電池１０を複数用いて構成した電池パック４５の一例を示す。この電池パック４５は、複数の電池１１を収容可能な筐体４７を備えている。なお、図３は筐体４７を部分的に示している。筐体４７に収容される電池１１は、全て正極ボルト２７が上を向いた状態で横並びに配列されるとともに、接続板１３によって直列に接続されている。このような構成であれば、大電流を放電可能な電池パック４５とすることができる。さらに、ナット（図３では省略）を緩めて接続板１３を取り外すだけの簡単な作業で電池を交換することができるようになるため、電池パック４５のメンテナンスの作業性が良好になる。
【００４７】
本実施形態では、電池が１つの正極ボルト２７を備え、接続板１３には第１ねじ挿通孔３５ａが１つだけ設けられる構成となっているので、接続板１３を正極ボルト２７の回りに任意の角度で取り付けることが可能となっている。このため、どの電池１１も正極ボルト２７と負極ボルト３３の位置関係が同じではあるものの、１つの接続板１３に接続される正極ボルト２７と負極ボルト３３の位置関係を任意に調整することができる。これにより、第１電池１１に対する第２電池１１の周方向の位置を任意に設定することができる。
【００４８】
以上説明したように、本実施形態では、第１電池１１と第２電池１１との相対位置関係を調整した上で、接続板１３によって正極ボルト２７と負極ボルト３３とを互いに電気的に接続することができる。しかも、接続板１３が、第１電池１１の単電池１５上面に設けられた正極ボルト２７に締結されるとともに、第２電池１１の単電池１５側面に設けられた負極ボルト３３に締結される構成なので、第１電池１１と第２電池１１を横方向に並べる際にこれら電池１１を同じ向きに配設することができる。さらに、接続板１３と両電池１１とがねじ締結によって接続される構成なので、接続板１３が電池の電極端子に溶接される構成と異なり、接続板１３として、板厚の厚い部材のように抵抗の小さな部材を用いることが可能となる。これにより、接続板１３での発熱を抑制することができる。
【００４９】
また本実施形態では、正極ボルト２７に第１端子部３５を締結する際に第１端子部３５と正極ボルト２７との相対位置関係を調整できるので、これによって第１電池１１と第２電池１１の相対位置関係を調整することができる。このため、第１端子部３５と第２端子部３６との相対位置関係が変わらなくても、正極ボルト２７と負極ボルト３３との相対位置関係を調整することができる。したがって、この態様では接続板１３としてブスバー等のような高剛性の部材を用いることができる。
【００５０】
さらに本実施形態では、長孔として形成された例えば第１ねじ挿通孔３５ａに正極ボルト２７を締結する際に、長孔の長手方向に締結位置を調整することができる。したがって、第１電池１１と第２電池１１との相対位置関係を長孔の長手方向に調整することができる。具体的には、第２ねじ挿通孔３６ａが上下方向に長い長孔に形成されているので、第１電池１１と第２電池１１との相対位置関係を上下方向に調整可能となっている。また、第１ねじ挿通孔３５ａが第１電池１１と第２電池１１とを結ぶ方向に長い長孔に形成されているので、第１電池１１と第２電池１１との間隔を調整可能となっている。
【００５１】
また本実施形態では、負極ボルト３３が単電池１５のケース側壁１８ａよりも厚みのある台座部３１を介して単電池１５の側面に固着されているので、単電池１５のケース側壁１８ａの厚みよりも薄い台座部が固着されている構成に比べ、台座部３１に電流が流れる際の台座部３１での発熱を抑えることができる。したがって、大電流を放出する組電池１０に好適なものとなっている。
【００５２】
また本実施形態では、このような厚みのある台座部３１を単電池１５に溶接する方法として、台座部３１を単電池１５のケース側壁１８ａにダイレクト溶接し、その後で単電池１５内に電極群を挿入するようにしているので、単電池１５のケース側壁１８ａに穴ができてしまう等の溶接不良を回避しつつ、台座部３１を単電池１５のケース側壁１８ａに固着することができる。
【００５３】
なお、本発明は、前記実施形態に限られるものではなく、その趣旨を逸脱しない範囲で種々変更、改良等が可能である。例えば、図４に示すように、台座部３１の厚みがケース本体１８の周方向に一定になるように台座部３１を形成してもよい。この場合、台座部３１の外側面３１ａは円弧状となる。そして、接続板１３の第２端子部３６もこれに対応するように円弧状に湾曲した形状となる。なお、図４は、負極ボルト３３が１つのみ設けられた構成を示しているが、２つ以上設けられていてもよい。
【００５４】
また、第２端子部３６の第２ねじ挿通孔３６ａは、上下方向に長い長孔に形成された上下方向部３６ｂと、この上下方向部３６ｂと垂直な方向に長い長孔に形成された横方向部３６ｃとを有し、十字状に形成されている。なお、第２ねじ挿通孔３６ａは、十字状に形成される構成に限られるものではなく、Ｌ字状、Ｔ字状等に形成されていてもよく、あるいは、横方向に長い長孔として形成されていてもよい。これらの態様によれば、第１電池１１と第２電池１１との相対位置関係を横方向に調整可能となる。つまり、この態様では、負極ボルト３３に対して接続板１３を横方向にずらすことができるので、接続板１３に接続される２つの電池１１の配置の自由度を更に向上することができる。また、これら台座部３１の外側面３１ａが平坦に形成されるとともに第２端子部３６が平板状に形成されていてもよい。また、図１の台座部３１の外側面３１ａが円弧状に形成されるとともに、第２端子部３６がそれに対応した湾曲状に形成されていてもよい。
【００５５】
また、前記実施形態では、接続部材が金属板からなる接続板１３によって構成される例を説明したが、これに限られるものではない。例えば、図５に示すように、接続部材をめがね端子付きリード５０によって構成してもよい。めがね端子付きリード５０は、第１端子部５１と第２端子部５２と中間部５３とを備えている。第１端子部５１は、正極ボルト２７に締結される部位であり、第１ねじ挿通孔５１ａを有する。第２端子部５２は、負極ボルト３３に締結される部位であり、第２ねじ挿通孔５２ａを有する。中間部５３は導電性リード線を絶縁被覆したものであり、任意の形状に折り曲げ可能に構成されている。そして、中間部５３の一端部に第１端子部５１が接続されるとともに、中間部５３の他端部に第２端子部５２が接続されている。この態様では、第１端子部５１に対する第２端子部５２の相対位置を自由に変えることができるため、第１端子部５１に締結される正極ボルト２７と、第２端子部５２に締結される負極ボルト３３との相対位置関係を任意に変えることができる。これにより、第１電池１１と第２電池１１との相対位置関係を調整することができる。
【００５６】
また、前記電池パック４５では、全ての電池１１を同じ構成にしたが、例えば両端の電池のみ他と異なる構成としてもよい。すなわち、負極ボルト３３のみに接続板１３が接続される電池については、正極ボルト２７を省略してもよく、正極ボルト２７のみに接続板１３が接続される電池については、負極ボルト３３を省略してもよい。
【００５７】
また、図１及び図４には、第１端子部３５の第１ねじ挿通孔３５ａが、第２端子部３６に垂直な方向に長い形状に形成されている例について示したが、これに限られるものではない。例えば、第１ねじ挿通孔３５ａは、第２端子部３６に平行な方向に延びる形状でもよく、あるいは第２端子部３６に対して斜めの方向に長い形状でもよく、あるいは十字状、Ｌ字状、Ｔ字状等の形状であってもよい。
【００５８】
また、前記組電池１０を構成する第１電池１１及び第２電池１１がそれぞれ正極ボルト２７及び負極ボルト３３を備える構成について説明したが、これに代え、図６に示すように、第１電池１１及び第２電池１１の負極ボルト３３が省略された構成としてもよい。この態様では、接続板１３の第２端子部３６の第２ねじ挿通孔３６ａが省略される。そして、台座部３１と接続板１３の第２端子部３６とが溶接等より固着される。この態様でも、第１端子部３５の第１ねじ挿通孔３５ａにより、第１電池１１と第２電池１１との間の間隔を調整することができる。また、この態様において、台座部３１の外側面３１ａが円弧状に形成されるとともに、接続板１３の第２端子部３６が、図４と同様に円弧状に形成されていてもよい。また、この態様においても、第１ねじ挿通孔３５ａの形状を上述のように種々アレンジすることができる。
【００５９】
また、台座部３１に負極ボルト３３が設けられていない態様において、接続板１３に代えて、めがね端子付きリードのような中間部を有する接続部材を用いるようにしてもよい。この接続部材では、正極ボルト２７に締結される第１端子部と、台座部３１に溶接される第２端子部とを備え、これら端子部間が、任意の形状に折り曲げ可能な中間部となる。この接続部材は、図５に示すめがね端子付きリード５０をそのまま用いてもよく、あるいは第２端子部５２が第２ねじ挿通孔５２ａを有しない板状に形成されているものでもよい。
【００６０】
また、負極ボルト３３を省略するのではなく、正極ボルト２７を省略した態様としてもよい。すなわち、図１において、台座部３１に負極ボルト３３が立設される一方、正極ボルト２７が省略される構成としてもよい。この場合の接続板１３は、第１端子部３５の第１ねじ挿通孔３５ａが省略される。そしてこの場合には、接続板１３の第１端子部３５は、封口板２０、取付板２２及び電極板２４（図２参照）の少なくとも１つに固着される。言い換えると、これらの少なくとも１つが台座部として機能することとなる。この態様でも、第２端子部３６の第２ねじ挿通孔３６ａにより上下方向の位置調整が可能である。また、この態様においても、台座部３１の外側面３１ａが円弧状に形成されるとともに、接続板１３の第２端子部３６が、図４と同様に円弧状に形成されていてもよい。また、この態様においても、第２端子部３６の第２ねじ挿通孔３６ａの形状は、横方向（周方向）に長い形状、Ｌ字状、Ｔ字状、十字状等の種々の形状にすることが可能である。
【図面の簡単な説明】
【００６１】
【図１】本発明の実施形態に係る組電池の構成を説明するための説明図である。
【図２】前記組電池を構成する電池を部分的に示す断面図である。
【図３】前記組電池を備える電池パックを部分的に示す上面図である。
【図４】その他の実施形態に係る組電池に用いられる台座部及び接続板を示す斜視図である。
【図５】その他の実施形態に係る組電池に用いられるめがね端子付きリードの概略図である。
【図６】本発明のその他の実施形態に係る組電池の構成を説明するための説明図である。
【符号の説明】
【００６２】
１１    第１電池、第２電池
１３    接続板
１５    単電池
２７    正極ボルト（第１ねじ部の一例）
３１    台座部
３３    負極ボルト（第２ねじ部の一例）
３５    第１端子部
３５ａ  第１ねじ挿通孔
３６    第２端子部
３６ａ  第２ねじ挿通孔
５１    第１端子部
５１ａ  第１ねじ挿通孔
５２    第２端子部
５２ａ  第２ねじ挿通孔
５３    中間部
【図１】
2008262751.tif 000003
【図２】
2008262751.tif 000004
【図３】
2008262751.tif 000005
【図４】
2008262751.tif 000006
【図５】
2008262751.tif 000007
【図６】
2008262751.tif 000008